(57)【要約】【課題】ＦＭ受信機において、受信電界強度、変調度、及び隣接妨害の強度の様々な状態にて、ノイズ、音声歪み、及び隣接妨害のいずれもが十分に抑制されるようにバンドパスフィルタ（ＩＦＢＰＦ）の通過帯域幅ＷＦを設定することは難しい。【解決手段】ＩＦＢＰＦ８０はＷＦ及び減衰傾度ＫＦを可変設定できる。ハードウェアで構成される帯域幅制御回路１０２は、受信電界強度、変調度、及び隣接妨害の強度の組み合わせからなる受信状態に応じて、ＷＦを制御する。マイクロコンピュータ５４は、不揮発性メモリ６０に格納されたプログラムに基づいてＫＦを制御し、実効的な通過帯域幅の微調整を行う。弱電界状態で、高変調かつ隣接妨害有りの場合には、音声歪み防止と隣接妨害抑制とは矛盾するＷＦの制御を要し、設定が微妙となる。特にこのような場合に、ＫＦをプログラムで変更できる構成は、好適な受信状態を得ることを容易とする。【選択図】図１
2009105727.tif 000002
【特許請求の範囲】
【請求項１】
受信信号に対して、受信目標ＦＭ信号の搬送波周波数を所定の中間周波数にシフトさせる周波数変換を行い、中間信号を生成する中間信号生成回路と、
通過帯域幅を含む所定の通過特性パラメータを可変設定でき、前記中間信号に変換された前記受信目標ＦＭ信号を通過するバンドバスフィルタと、
前記中間信号に基づいて受信電界強度を検出する受信強度検出回路と、
前記受信目標ＦＭ信号の変調度を検出する変調度検出回路と、
前記受信目標ＦＭ信号に対する隣接信号の干渉を検出する隣接干渉検出回路と、
前記受信電界強度、前記変調度、及び前記隣接信号の干渉強度の組み合わせからなる注目受信状態に応じた所定の制御を行い、前記通過帯域幅を前記注目受信状態に応じた基本帯域幅に設定する帯域幅制御回路と、
前記干渉強度及び前記変調度に応じて前記通過特性パラメータを制御する制御手順を定めた制御プログラムを記憶する記憶部と、
前記制御プログラムを実行して、前記帯域幅制御回路で設定された通過帯域の両側に付加される補助的な通過帯域の幅である補助通過帯域幅を制御するマイクロコンピュータと、
を有することを特徴とするＦＭ受信機。
【請求項２】
請求項１に記載のＦＭ受信機において、
前記制御プログラムは、前記干渉強度が所定の基準値未満の干渉無し状態であり、かつ前記変調度が所定の高変調状態である場合の前記補助通過帯域幅を、前記変調度が前記高変調状態未満である低変調度状態の場合よりも広く設定すること、
を特徴とするＦＭ受信機。
【請求項３】
請求項１に記載のＦＭ受信機において、
前記制御プログラムは、前記干渉強度が所定の基準値未満の干渉無し状態であり、かつ前記変調度が所定の高変調状態である場合の前記補助通過帯域幅を、前記変調度が前記高変調状態未満である低変調度状態の場合よりも広く設定する一方、前記干渉強度が前記基準値以上の干渉有り状態であり、かつ前記高変調状態の場合の前記補助通過帯域幅については、前記低変調度状態の場合よりも広く設定するか否かが選択可能に構成されていること、
を特徴とするＦＭ受信機。
【請求項４】
請求項１から請求項３のいずれか１つに記載のＦＭ受信機において、
前記バンドパスフィルタは、減衰傾度を可変設定でき、
前記制御プログラムは、前記干渉強度及び前記変調度に応じて前記減衰傾度を制御する制御手順を含み、
前記マイクロコンピュータは、前記補助通過帯域幅の制御として、前記減衰傾度に応じて遷移域の幅を変化させること、
を特徴とするＦＭ受信機。
【発明の詳細な説明】
【技術分野】
【０００１】
本発明は、周波数変調（Frequency Modulation：ＦＭ）された信号を受信するＦＭ受信機に関する。
【背景技術】
【０００２】
ＦＭ信号は、音声信号等に基づいて搬送波の周波数を変化させるため、その伝送には例えばＡＭ信号に比べて広い周波数帯域を必要とする。そのため、ＦＭ受信機において、目的とする伝送信号を受信する場合に、その周波数に近い周波数で伝送される他の信号からの干渉（隣接妨害）を受けやすく、これが、検波される音声信号の品質に悪影響を及ぼすことがある。この隣接妨害は、受信目的の信号（希望波）を抽出するバンドパスフィルタ（Band Pass Filter：ＢＰＦ）の帯域を狭くすることで軽減を図れる。
【０００３】
図３は、従来のＦＭ受信機の構成を説明するブロック図である。アンテナにて受信されたＲＦ（Radio Frequency）信号は、所定の中間周波数（Intermediate Frequency：ＩＦ）ｆＩＦを有する中間信号へ周波数変換され、ＩＦＢＰＦ２に入力される。ＩＦＢＰＦ２は、ｆＩＦを中心周波数とするバンドパスフィルタであり、その通過帯域幅ＷＦは、例えば、約４０ｋＨｚ〜約２２０ｋＨｚといった範囲で可変に構成される。
【０００４】
ＩＦＢＰＦ２を通過したＦＭ信号は、リミッタアンプ４に供給される。リミッタアンプ４は、ＦＭ信号の振幅を増幅して矩形波とし、ＦＭ信号にのったノイズを除去する。リミッタアンプ４で増幅され矩形波とされたＦＭ信号は、ＦＭ検波回路６に入力される。ＦＭ検波回路６は、リミッタアンプ４の出力信号をＦＭ検波する。
【０００５】
このＦＭ検波出力に基づいて音声信号が再生される。また、ＦＭ検波出力ＳＤＥＴは、隣接妨害検出回路８及び変調度検出回路１０に入力される。隣接妨害検出回路８は、ＳＤＥＴから、隣接妨害により生じ得る高域成分を抽出し、その強弱に応じた電圧レベルの直流信号ＳＡＩを生成する。変調度検出回路１０は、ＳＤＥＴに基づいて受信信号の変調度に応じた電圧レベルの直流信号ＳＭＤを生成する。
【０００６】
リミッタアンプ４はシグナルメータ（Ｓメータ）回路１２にも接続されている。リミッタアンプ４は、数段のバッファアンプを直列に繋げた回路から構成されている。Ｓメータ回路１２は、リミッタアンプ４の各バッファアンプの出力を入力信号とし、それらに基づいてＦＭ信号の信号強度に応じた受信電界強度信号ＳＦＩを生成する。
【０００７】
帯域幅制御回路１４は、隣接妨害検出回路８の出力ＳＡＩ、変調度検出回路１０の出力ＳＭＤ、及びＳメータ回路１２の出力ＳＦＩを入力され、それらに基づいて、ＩＦＢＰＦ２の通過帯域幅ＷＦを制御する。帯域幅制御回路１４は、隣接妨害検出回路８の出力信号ＳＡＩのレベルが高くなるほど、帯域幅ＷＦを狭くするように制御する。これにより、ＦＭ検波回路６には隣接妨害波を除去されたＦＭ信号が入力され、隣接妨害による音声品質の劣化を軽減・抑制できる。
【０００８】
また、帯域幅制御回路１４は、受信電界強度が所定の弱電界状態である場合にも、帯域幅ＷＦを狭くするように制御する。これにより、ＩＦＢＰＦ２を通過する弱電界ノイズ成分を少なくすることができ、感度の向上が図られる。
【０００９】
一方、高変調の状態にて、帯域幅ＷＦを狭めると音声歪みを生じる可能性がある。そこで、帯域幅制御回路１４は、隣接妨害が生じておらず、かつ高変調度の場合には、弱電界状態であっても帯域幅ＷＦを基準帯域幅に設定し、弱電界ノイズの除去より音声歪みの抑制を優先させる。
【特許文献１】特開２００４−３１２０７７号公報
【発明の開示】
【発明が解決しようとする課題】
【００１０】
弱電界の場合と高変調の場合とでは、好適な音声品質を得る上での通過帯域幅ＷＦに対する制御が相反するものとなる。そのため、ＷＦは、弱電界ノイズの低減と音声歪みの抑制とのトレードオフの下で設定されることとなり、好適な設定が難しい。さらに、ＷＦの設定には上述のように隣接妨害の強度も関係し、例えば、隣接妨害がない状態での弱電界かつ高変調の場合にＷＦを好適に設定できたとしても、隣接妨害がある状態にて、当該ＷＦが隣接妨害を好適に除去できるものとは限らない。一方、従来のハードウェアで構成される帯域幅制御回路１４では、これら各種の条件に対してＷＦを好適な値に調節することは容易ではなく、それを行おうとすると帯域幅制御回路１４の構成が複雑になる。すなわち、従来は、受信電界強度、変調度、及び隣接妨害の強度の様々な状態にて、ノイズ、音声歪み、及び隣接妨害のいずれもが十分に抑制されるようにＷＦを設定することは困難であり、いずれの特性についてもほどほどに満たされるようにしかＷＦを設定できないという問題があった。
【００１１】
本発明は上記問題点を解決するためになされたものであり、良好な音声品質を実現し易いＦＭ受信機を提供することを目的とする。
【課題を解決するための手段】
【００１２】
本発明に係るＦＭ受信機は、受信信号に対して、受信目標ＦＭ信号の搬送波周波数を所定の中間周波数にシフトさせる周波数変換を行い、中間信号を生成する中間信号生成回路と、通過帯域幅を含む所定の通過特性パラメータを可変設定でき、前記中間信号に変換された前記受信目標ＦＭ信号を通過するバンドバスフィルタと、前記中間信号に基づいて受信電界強度を検出する受信強度検出回路と、前記受信目標ＦＭ信号の変調度を検出する変調度検出回路と、前記受信目標ＦＭ信号に対する隣接信号の干渉を検出する隣接干渉検出回路と、前記受信電界強度、前記変調度、及び前記隣接信号の干渉強度の組み合わせからなる注目受信状態に応じた所定の制御を行い、前記通過帯域幅を前記注目受信状態に応じた基本帯域幅に設定する帯域幅制御回路と、前記干渉強度及び前記変調度に応じて前記通過特性パラメータを制御する制御手順を定めた制御プログラムを記憶する記憶部と、前記制御プログラムを実行して、前記帯域幅制御回路で設定された通過帯域の両側に付加される補助的な通過帯域の幅である補助通過帯域幅を制御するマイクロコンピュータと、を有する。
【発明の効果】
【００１３】
本発明によれば、通過帯域幅ＷＦは、ハードウェアで構成することができる帯域幅制御回路が設定する基本帯域幅をベースとして、マイクロコンピュータが制御プログラムに基づいて調整する。その調整は、帯域幅制御回路が設定する基本帯域幅に補助的な通過帯域を付加することにより行われる。ここで、バンドパスフィルタの通過帯域幅とは、一般に、通過域のゲインに対し−３ｄＢとなる高域側、低域側それぞれのカットオフ周波数の間の幅を意味し、これを狭義の通過帯域幅と呼ぶことにする。これに対して、ここでは、通過域と、当該通過域と減衰域との間に存在して信号エネルギーを部分的に通過可能な遷移域とを合わせた帯域を広義の通過帯域幅と呼ぶことにする。本発明において、マイクロコンピュータによる補助的な通過帯域の付加は、狭義の通過帯域幅を可変させるものであってもよいし、また、遷移域の幅、又は通過域及び遷移域それぞれの幅を調整して、広義の通過帯域幅を可変させるものであってもよい。なお、遷移域の幅は、減衰傾度に応じて調節することができる。マイクロコンピュータによる狭義又は広義の通過帯域幅の調整は、制御プログラムに応じて柔軟に変更することができ、帯域幅制御回路によるハードウェアでの通過帯域幅の調整に比べて自由度が高い。そのため、受信電界強度、変調度、及び隣接信号の干渉強度の様々な組み合わせに対して、帯域幅制御回路だけによる場合よりも、好適な受信を実現することが容易となる。
【発明を実施するための最良の形態】
【００１４】
以下、本発明の実施の形態（以下実施形態という）について、図面に基づいて説明する。図１は、実施形態に係るＦＭラジオ受信機５０の概略のブロック構成図である。本ＦＭラジオ受信機５０は、ＦＭチューナ回路５２と、当該ＦＭチューナ回路５２の動作を制御する制御部であるマイクロコンピュータ５４と、それらの間の通信を可能とするシステムバス５６とを含んで構成されるＦＭラジオ受信機である。ＦＭチューナ回路５２の主要部はＩＣ化され、例えば、アンテナ５８で受信されたＲＦ信号ＳＲＦ０から希望局の音声信号に対応した出力信号ＳＯＵＴを生成する信号処理回路と、当該信号処理回路の動作で用いられるデータ等を格納したＥＥＰＲＯＭ等の不揮発性のメモリ６０とが１チップ若しくは１パッケージのＩＣ、又は別チップとして構成される。
【００１５】
アンテナ５８で受信されたＲＦ信号ＳＲＦ０は、ＲＦ回路６２、第１局部発振部６４、第１混合回路６６、バンドパスフィルタ（ＢＰＦ：Band Pass Filter）６８，７２、バッファアンプ７０，７８、第２局部発振部７４、第２混合回路７６、ＩＦＢＰＦ８０、リミッタアンプ８２、ＦＭ検波回路８４、及びマトリクス回路（ＭＰＸ回路）８６を含んで構成される信号処理系で処理され、出力信号ＳＯＵＴが生成される。
【００１６】
ＦＭチューナ回路５２は上述の構成要素の他、Ｓメータ回路９２、クオリティセンサ回路９４、隣接干渉ノイズ抽出回路９６、変調度信号生成回路９８、ＳＤ（Station Detection）回路１００、帯域幅制御回路１０２、レジスタ１０４及びスイッチ制御回路１０６を含んで構成される。
【００１７】
ＲＦ信号ＳＲＦ０はＲＦ回路６２に入力される。ＲＦ回路６２は、受信対象帯域にわたるＲＦ信号ＳＲＦ０から、搬送波周波数ｆＲを有する目的受信局を含む比較的狭い帯域のＲＦ信号ＳＲＦを抽出する同調処理を行う。ＲＦ回路６２で抽出されたＲＦ信号ＳＲＦは第１混合回路６６に入力される。
【００１８】
第１局部発振部６４は、ＰＬＬ（Phase Lock Loop）回路を用いた発振回路及び分周回路を含んで構成され、第１局部発振信号ＳＬＯ１を出力する。
【００１９】
第１混合回路６６は、入力されたＲＦ信号ＳＲＦを、第１局部発振部６４から入力される第１局部発振信号ＳＬＯ１と混合して、第１中間信号ＳＩＦ１を生成する。ＳＬＯ１の周波数ｆＬＯ１は、ＳＲＦに含まれる目的受信局の信号の搬送波周波数ｆＲが第１混合回路６６によるＳＩＦ１への周波数変換にて所定の第１中間周波数ｆＩＦ１に変換されるように調整される。この調整は、マイクロコンピュータ５４が図示しないレジスタにデータを設定し、当該データに基づいて第１局部発振部６４内の発振回路の発振周波数や分周回路の分周比を制御することにより行われる。第１中間周波数ｆＩＦ１は、例えば、１０．７ＭＨｚに設定される。
【００２０】
第１混合回路６６から出力されるＳＩＦ１は、ＢＰＦ６８、バッファアンプ７０及びＢＰＦ７２を経て、第２混合回路７６に入力される。例えば、ＢＰＦ６８，７２はセラミックフィルタを用いて構成することができる。
【００２１】
第２混合回路７６は、入力された第１中間信号ＳＩＦ１を、第２局部発振部７４から入力される第２局部発振信号ＳＬＯ２と混合して、第２中間周波数ｆＩＦ２の第２中間信号ＳＩＦ２を生成する。ＳＬＯ２の周波数ｆＬＯ２は、（ｆＩＦ１−ｆＩＦ２）に設定され、ＳＩＦ１に含まれる周波数ｆＩＦ１の目的受信信号は第２混合回路７６において周波数ｆＩＦ２に変換される。第２中間周波数ｆＩＦ２は、例えば、４５０ｋＨｚに設定される。
【００２２】
ＳＩＦ２は、バッファアンプ７８を経由して、ＩＦＢＰＦ８０に入力される。ＩＦＢＰＦ８０は、ｆＩＦ２を中心周波数とし、かつ通過帯域幅ＷＦ及び減衰傾度ＫＦを含む通過特性パラメータを可変設定できるバンドパスフィルタである。ＩＦＢＰＦ８０の通過帯域幅ＷＦは基本的には帯域幅制御回路１０２により制御される。また、減衰傾度ＫＦは、例えば、ＩＦＢＰＦ８０に多段のＢＰＦを用意し、それらの接続段数をスイッチで切り換えたり、ＢＰＦの回路定数を制御電圧で可変させることで制御される。例えば、図１には、減衰傾度ＫＦを制御するための回路として、ＢＰＦの接続段数を切り換えるスイッチを制御するスイッチ制御回路１０６を例示している。このＩＦＢＰＦ８０の通過特性パラメータの制御についてはさらに後述する。
【００２３】
ＩＦＢＰＦ８０から出力されたＳＩＦ２は、リミッタアンプ８２を経て、ＦＭ検波回路８４に入力される。ＦＭ検波回路８４は例えば、クオドラチュア検波回路で構成される。ＦＭ検波回路８４は、リミッタアンプ８２から入力されたＳＩＦ２をＦＭ検波し、検波出力信号ＳＤＥＴを出力する。
【００２４】
マトリクス回路８６は、ステレオ放送時には、ステレオコンポジット信号であるＳＤＥＴから（Ｌ＋Ｒ）信号、（Ｌ−Ｒ）信号をそれぞれ抽出し、それら（Ｌ＋Ｒ）信号と（Ｌ−Ｒ）信号とから、マトリクス方式によりＬ信号とＲ信号とを分離し出力する。
【００２５】
Ｓメータ回路９２は、例えば、ＢＰＦ７２から入力されたＳＩＦ１に基づいて、ＳＩＦ１に含まれる変動成分信号ＳＭ−ＡＣを生成すると共に、当該変動成分を低域通過フィルタ（Low Pass Filter：ＬＰＦ）で平滑化して受信電界強度信号ＳＭ−ＤＣを生成する。ＳＭ−ＡＣは、クオリティセンサ回路９４にて利用される。一方、ＳＭ−ＤＣは、ＳＤ回路１００及び帯域幅制御回路１０２にて利用される。
【００２６】
クオリティセンサ回路９４は、ＳＭ−ＡＣに基づいて隣接妨害やマルチパス妨害の有無を検出する回路であり、高域通過フィルタ（High Pass Filter：ＨＰＦ）１１０、検波回路１１２及びコンパレータ１１４を含んで構成される。ＨＰＦ１１０は、ＳＭ−ＡＣから隣接妨害に応じた周波数帯域の成分とマルチパス妨害に応じた周波数帯域の成分とのいずれを抽出するかに応じて、カットオフ周波数ｆＣを切り換えることができる。隣接妨害に関しては、隣接妨害を与える放送局と希望局とのＲＦ周波数の差をΔｆとすると、隣接妨害の発生時のＳＭ−ＡＣには、Δｆに応じた周波数の高周波成分が現れる。例えば、日本におけるＦＭ放送のチャンネルステップが１００ｋＨｚであることなどから、ＳＭ−ＡＣから隣接妨害に応じた成分を抽出する際のＨＰＦ１１０のカットオフ周波数ｆＣは例えば、１００ｋＨｚ程度とすることができる。また、一般にマルチパス妨害に起因する高周波成分は隣接妨害による成分ほどは周波数が高くならないことから、ＳＭ−ＡＣからマルチパス妨害に応じた成分を抽出する際のｆＣは５０ｋＨｚ程度に設定することができる。検波回路１１２はＨＰＦ１１０を通過した高周波成分を整流検波して、受信信号中における隣接干渉ノイズ成分量又はマルチパスノイズ量に応じた電圧レベルの直流信号ＶＳＱを生成する。ここで、ＶＳＱは、後述するように帯域幅制御回路１０２にて、ＩＦＢＰＦ８０の通過帯域幅ＷＦの自動可変制御に利用される。
【００２７】
コンパレータ１１４は、検波回路１１２の出力レベルＶＳＱと、所定の閾値に設定される基準電圧Ｖｒｅｆ１とを比較し、例えば、ＶＳＱ＞Ｖｒｅｆ１であれば、隣接妨害又はマルチパス妨害が発生しているとの判定結果を示すＳＱセンサ信号ＳＳＱとしてＨレベルを出力し、一方、ＶＳＱ≦Ｖｒｅｆ１であれば、隣接妨害やマルチパス妨害が発生していないとの判定結果を示すＳＳＱとしてＬレベルを出力する。このＳＳＱは、マイクロコンピュータ５４に入力される。
【００２８】
隣接干渉ノイズ抽出回路９６は、ＦＭ検波回路８４の出力信号ＳＤＥＴに含まれる隣接干渉ノイズ成分を抽出する。隣接妨害の発生時のＳＤＥＴは、希望局に対応する音声帯域の信号成分に重畳して、希望局と妨害局とのＲＦ周波数差Δｆに応じた周波数を有する高周波成分を有する。隣接干渉ノイズ抽出回路９６は、ＨＰＦ１２０、検波回路１２２を含んで構成され、隣接妨害により生じ得る高域成分の強弱に応じた電圧レベルの直流信号ＳＡＩを出力する。ＨＰＦ１２０のカットオフ周波数ｆＣは、ＳＤＥＴに含まれる隣接干渉ノイズの主要成分がＨＰＦ１２０を通過するように設定される。例えば、上述のＨＰＦ１１０と同様、ＨＰＦ１２０のカットオフ周波数ｆＣは例えば、１００ｋＨｚ程度とすることができる。ＳＡＩは、帯域幅制御回路１０２に入力される。
【００２９】
変調度信号生成回路９８は、ＳＤＥＴに基づいて受信信号の変調度に応じた電圧レベルの直流信号ＳＭＤを生成する。変調度信号生成回路９８は、ＬＰＦ１２４、検波回路１２６を含んで構成され、隣接妨害等に起因する高域成分を除去し、変調度に応じた電圧レベルの直流信号ＳＭＤを出力する。ＳＭＤは帯域幅制御回路１０２にて利用される。
【００３０】
ＳＤ回路１００は、設定された同調周波数にて受信局が検出されたか否かを示すＳＤ信号ＳＳＤを出力する。ＳＤ回路１００は、Ｓメータ回路９２からの受信電界強度信号ＳＭ−ＤＣが所定の閾値を超えているか否かを判定する。また、ＳＤ回路１００は、中間信号ＳＩＦ２の周波数ｆと検波出力ＳＤＥＴの電圧Ｖとの間のＳカーブと呼ばれるｆ−Ｖ変換特性に基づき、受信局の帯域が目標とする帯域（ＳＤ帯域）内に存在するか否かを判定する。ＳＤ回路１００は、ＳＤ帯域内にて所定強度の受信信号が得られる場合に、受信局が検出されたと判定する。このＳＤ回路１００の出力ＳＳＤから受信電界強度が所定値を超えているか否かを把握することができる。また、ＳＤ帯域の幅を切り換え、それぞれの帯域幅での局検出状態から検出局が希望局か隣接局かの判断をすることもでき、隣接妨害有無の検知手段として利用することもできる。
【００３１】
帯域幅制御回路１０２は、クオリティセンサ回路９４から得られるＶＳＱ又は隣接干渉ノイズ抽出回路９６が生成するＳＡＩと、変調度信号生成回路９８からのＳＭＤと、Ｓメータ回路９２が生成するＳＭ−ＤＣとに基づいて受信状態を把握する。また、当該受信状態のうち受信電界強度や隣接妨害の有無についてはＳＤ回路１００の出力ＳＳＤから把握することもできる。帯域幅制御回路１０２は、受信電界強度、変調度、隣接妨害の強度の組み合わせに応じて、基本的にその回路構成により予め定められた制御電圧を生成する。そして、その制御電圧信号ＳＷＦにより、ＩＦＢＰＦ８０のＷＦを制御する。
【００３２】
具体的には、帯域幅制御回路１０２は、ＶＳＱ又はＳＡＩの信号レベルが高くなるほど、帯域幅ＷＦを狭くするように制御する。これにより、ＦＭ検波回路８４には隣接妨害波を除去されたＦＭ信号が入力され、隣接妨害による音声品質の劣化を軽減・抑制できる。なお、ＶＳＱ又はＳＡＩを所定の閾値と比較して、ＶＳＱ又はＳＡＩが当該閾値より大きければ隣接妨害状態（干渉有り状態）と判断してＷＦを狭くするように制御し、一方、閾値以下であれば非隣接妨害状態（干渉無し状態）と判断してＷＦを広くするように制御する構成としてもよい。
【００３３】
また、帯域幅制御回路１０２は、ＳＭＤに基づいて、変調度が所定の高変調状態か否かを判別する。ＳＭＤが所定の閾値より大きければ高変調状態とされ、一方、閾値以下であれば低変調状態と判断される。
【００３４】
また、帯域幅制御回路１０２は、ＳＭ−ＤＣに基づいて、受信電界強度が所定の弱電界状態か否かを判別する。ＳＭ−ＤＣが所定の閾値より低ければ弱電界状態とされ、一方、閾値以上であれば中電界以上と判断される。
【００３５】
レジスタ１０４はシステムバス５６に接続される。レジスタ１０４は、ＩＦＢＰＦ８０の通過帯域に関する補助的な制御を行うための制御データＤＳＢを、マイクロコンピュータ５４からシステムバス５６を介して設定される。レジスタ１０４に対する当該制御データＤＳＢの設定については後述する。
【００３６】
スイッチ制御回路１０６は、レジスタ１０４に格納されたデータＤＳＢに基づいて、ＩＦＢＰＦ８０内のスイッチを制御し、ＩＦＢＰＦ８０を構成するＢＰＦの接続段数を変更する。
【００３７】
マイクロコンピュータ５４は、システムバス５６やＩ２Ｃ（Inter-Integrated Circuit）プロトコルに基づく通信手段等を介して、クオリティセンサ回路９４、隣接干渉ノイズ抽出回路９６、変調度信号生成回路９８等の各種センサ回路から受信状態に関する情報を取得する一方で、例えば、システムバス５６を介してＦＭチューナ回路５２内の各部の動作を制御する。
【００３８】
不揮発性メモリ６０はシステムバス５６に接続される。不揮発性メモリ６０は例えば、ＥＥＰＲＯＭ（Electronically Erasable and Programmable Read Only Memory）で構成される。不揮発性メモリ６０の記憶内容は外部から与えられる信号により書き換えることができる。一方、書き込まれたデータは、マイクロコンピュータ５４により読み出される。
【００３９】
さて、マイクロコンピュータ５４は、プログラムに基づいて動作するが、そのプログラムは不揮発性メモリ６０に格納される。不揮発性メモリ６０は、ＦＭチューナ回路５２の動作を制御するための各種の動作制御プログラムを格納し、マイクロコンピュータ５４はそれらを適宜、読み込んで実行する。特に、本実施形態では、マイクロコンピュータ５４は、不揮発性メモリ６０に格納されたプログラムに従って、ＦＭチューナ回路５２の受信状態に応じてレジスタ１０４のデータＤＳＢを書き換え、これによりＩＦＢＰＦ８０の例えば、減衰傾度ＫＦを制御する。この点についてはさらに後述する。
【００４０】
次に、帯域幅制御回路１０２及びマイクロコンピュータ５４による通過帯域幅ＷＦ及び減衰傾度ＫＦの制御動作について説明する。図２は、ＷＦ及びＫＦの基本的な制御動作を説明する説明図である。この図は、隣接妨害の有無、変調度の高低、及び受信電界強度の強弱の各組み合わせ（条件分類）におけるＷＦの広狭及びＫＦの大小を示している。ここで、帯域幅制御回路１０２による、隣接妨害に対する後述のＷＦの制御については、ＳＡＩの信号レベルに応じてＷＦを連続的に変化させるように行うことができるが、図２では便宜上、ＳＡＩが所定の閾値より大きいか否かに応じた隣接妨害状態と非隣接妨害状態との２つに分類している。
【００４１】
図２（ａ）は、弱電界状態の条件分類群を表形式で表しており、図２（ｂ）は中電界以上の状態の条件分類群を表形式で表している。図２（ａ）及び図２（ｂ）はそれぞれ変調度の高低と隣接妨害の有無との組み合わせに対応する２行２列の４つの欄を有している。
【００４２】
それら各欄には、基本的に帯域幅制御回路１０２により制御される通過帯域幅ＷＦの定義値と、マイクロコンピュータ５４がスイッチ制御回路１０６を介して制御する減衰傾度ＫＦの定義値とが示されている。なお、ＷＦの値ｗＷは標準帯域幅を表し、ｗＮ１，ｗＮ２は標準帯域幅ｗＷよりも狭い狭帯域幅を表す。基本的には、標準帯域幅ｗＷは、受信信号が高変調であっても音声歪みが生じにくい広帯域幅であり、一方、狭帯域幅ｗＮ１，ｗＮ２は、隣接妨害除去の効果が期待できる幅である。また、減衰傾度ＫＦの標準値をｋＬとし、ｋＨはｋＨ＞ｋＬなる強減衰傾度である。すなわち、減衰傾度ＫＦとしてｋＨが設定される状態では、標準減衰傾度ｋＬが設定される状態よりも、遷移域での減衰が急峻となり、遷移域の幅が狭くなる。
【００４３】
帯域幅制御回路１０２は、基本的に、隣接妨害状態では、隣接妨害の影響を軽減するために通過帯域幅ＷＦを基準帯域幅より狭めるように制御を行い（ＷＦ＝ｗＮ１）、一方、非隣接妨害状態では、音声歪みを回避する観点から通過帯域幅ＷＦを基準帯域幅に設定する（ＷＦ＝ｗＷ）ように構成される。なお、弱電界状態では、弱電界ノイズを低減し感度向上を図る上では、通過帯域幅ＷＦは狭めることが好ましい。この観点から、帯域幅制御回路１０２は、弱電界状態のうち音声歪みが起こりにくい低変調状態では、例えば、隣接妨害の有無にかかわらず、ＷＦをｗＮ２に設定する。ここで、ｗＮ２は、上述のように隣接妨害除去の効果が期待できる値であると共に、弱電界ノイズ抑制の効果が期待できる値であり、基本的にはｗＮ２≦ｗＮ１となるように設定することができる。
【００４４】
一方、マイクロコンピュータ５４は、不揮発性メモリ６０に格納されたプログラムに基づいて動作する。当該プログラムを書き換えることで、例えば、上述の分類条件それぞれについて、ＫＦをｋＬとｋＨとのいずれとするかを自在に定義することができる。例えば、受信状態を、帯域幅制御回路１０２が実現する状態をベースとしつつ、より好適なものとするために、弱電界状態の場合に関し図２（ａ）に示す４つの条件分類、すなわち（１）非隣接妨害状態かつ低変調度状態の場合、（２）非隣接妨害状態かつ高変調度状態の場合、（３）隣接妨害状態かつ低変調度状態の場合、（４）隣接妨害状態かつ高変調度状態の場合、に分けてＫＦを定義するプログラムを不揮発性メモリ６０に登録し、マイクロコンピュータ５４に実行させることができる。
【００４５】
例えば、上記（１），（３）の場合、すなわち、低変調度状態の場合には、ＫＦ＝ｋＨに設定する。これにより、特に（３）の場合、すなわち、隣接妨害状態かつ低変調度状態の場合には、帯域幅制御回路１０２により設定された狭帯域幅ｗＮ２にて得られる好適な隣接妨害抑制の効果が維持される。
【００４６】
一方、上記（２）の場合、すなわち、非隣接妨害状態かつ高変調度状態の場合には、ＫＦ＝ｋＬに設定する。これにより、帯域幅制御回路１０２により設定された標準帯域幅ｗＷにて得られる音声歪み抑制の効果が維持又は補強される。
【００４７】
上記（４）の場合、すなわち、隣接妨害状態かつ高変調度状態の場合には、ＫＦとしてｋＨ及びｋＬのうち、例えば、ＦＭラジオ受信機５０のメーカが選択した一方が設定される。例えば、ＦＭラジオ受信機５０の使用国のＦＭ放送の変調度が大きい場合には、隣接妨害より音声歪みの影響が大きくなり得ることから、メーカはｋＬを選択して遷移域を広げ、音声歪みの軽減を優先することができ、逆に使用地域での変調度がそれほど大きくない場合には、ｋＨを選択して遷移域を狭い状態として、隣接妨害の軽減を優先することができる。また、メーカは、好みの音質や、ＦＭチューナ回路５２の後段回路との相性などの点でより良好な音質が得られるＫＦを選択することができる。
【００４８】
ちなみに、ＫＦの変更は、ＩＦＢＰＦ８０を構成するＢＰＦの接続段数を変えることで実現できる。具体的には、ＢＰＦの段数を増やすことで遷移域の幅が狭まるので、ＫＦの増加時にはＢＰＦの直列接続段数を増やすように、スイッチ制御回路１０６はＩＦＢＰＦ８０の構成を制御し、逆にＫＦの減少時には、段数を減らすように制御する。
【００４９】
本発明によれば、不揮発性メモリ６０に格納するプログラムを変えることで、ハードウェアからなり事後的に変更が難しい帯域幅制御回路１０２の構成はそのままで、受信状態の好適化を図ることができる。ＫＦの変更は、不揮発性メモリ６０に記憶されるプログラムを入れ替えることでも実現できるが、例えば、当該プログラムは、不揮発性メモリ６０に別途設定するパラメータを読み込み、当該パラメータに応じて、ＫＦを切り換え可能な構成とすることもできる。この場合にはパラメータの書き換えだけでＫＦを変更することができる。
【００５０】
なお、マイクロコンピュータ５４は、例えば、クオリティセンサ回路９４の出力ＳＳＱやＳＤ回路１００の出力ＳＳＤのようなＨレベル／Ｌレベルに二値化されたセンサ出力に関しては、Ｉ／Ｏポートから直接、処理に取り込むことができる。一方、ＳＭ−ＤＣ，ＳＡＩ，ＳＭＤのようなアナログ信号で得られるセンサ出力に関しては、Ａ／Ｄ（Analog-to-Digital）変換回路（ＡＤＣ）によりデジタルデータに変換し、当該デジタルデータをマイクロコンピュータ５４に入力し、マイクロコンピュータ５４にてソフトウェア的に閾値判定を行って、弱電界状態か否か、高変調か低変調か、また隣接妨害の有無を判断することができる。また、アナログ信号をコンパレータで閾値判定した結果をマイクロコンピュータ５４に入力する構成としてもよい。
【００５１】
ちなみに、ＷＦやＫＦの切り換え制御は、時定数やヒステリシスを持たせることにより、高速に頻繁に切り替わりが生じることを防止する構成とすることができる。これにより、音揺れが発生したり、音質の変動が顕著なる等の聞き手に不快な現象を抑制することができる。
【図面の簡単な説明】
【００５２】
【図１】本発明の実施形態に係るＦＭラジオ受信機の概略のブロック構成図である。
【図２】ＷＦ及びＫＦの基本的な制御動作を説明する説明図である。
【図３】従来のＦＭ受信機の構成を説明するブロック図である。
【符号の説明】
【００５３】
５０  ＦＭラジオ受信機、５２  ＦＭチューナ回路、５４  マイクロコンピュータ、５６  システムバス、５８  アンテナ、６０  不揮発性メモリ、６２  ＲＦ回路、６４  第１局部発振部、６６  第１混合回路、６８，７２  ＢＰＦ、７０，７８  バッファアンプ、７４  第２局部発振部、７６  第２混合回路、８０  ＩＦＢＰＦ、８２  リミッタアンプ、８４  ＦＭ検波回路、８６  マトリクス回路、９２  Ｓメータ回路、９４  クオリティセンサ回路、９６  隣接干渉ノイズ抽出回路、９８  変調度信号生成回路、１００  ＳＤ回路、１０２  帯域幅制御回路、１０４  レジスタ、１０６  スイッチ制御回路、１１０，１２０  ＨＰＦ、１１２，１２２，１２６  検波回路、１１４  コンパレータ、１２４  ＬＰＦ。
【図１】
2009105727.tif 000003
【図２】
2009105727.tif 000004
【図３】
2009105727.tif 000005